(57)【要約】【課題】ＡＶファイルを記録した外部ストレージメディアを再生して利用する時、機器の電源を入れて立ち上げる際に、ＡＶファイル構成リストの作成に時間がかかる問題を解決可能な「外部ストレージメディア同一性判別方法及び装置」を提供する。【解決手段】例えばナビゲーション機能付ヘッドユニットにＡＶファイルを記録しているＵＳＢメモリ等の外部ストレージメディアを挿入し再生して利用する時、このＵＳＢメモリにＰＯＩデータ等の機器本体で作成したデータを記録する時には、そのファイルに機器特有の名称を付与して記録する。その後機器本体の電源を入れてＵＳＢメモリを認識する時、メモリのデータ使用容量／残容量が変化していても、その変化分が特定名称付与ファイルの容量分だけの時は、ＡＶファイル構成には変化が無いものとして、記憶していたＡＶファイル構成リストをそのまま用いる。【選択図】図１
2012080472.tif 000002
【特許請求の範囲】
【請求項１】
機器本体に挿抜可能な外部ストレージメディアが挿入されていることを検出したとき、最初にＡＶファイルの構成リストを作成して記憶し、
機器本体で作成したＡＶファイル以外のデータを前記外部ストレージメディアに記録する時、当該データを含むファイルに特定の名称を付与し、
機器本体の電源を切る時、前記外部ストレージメディアのＡＶファイル構成リストの記憶を保持すると共に、前記外部ストレージメディアのデータ使用容量と残容量を記憶して保持し、
その後機器本体の電源を入れた後に外部ストレージメディアが挿入されていることを検出した時、挿入されている外部ストレージメディアのデータ使用容量と残容量を検出して、前記記憶保持したデータ使用容量と残容量とを比較し、全て同じ容量の時には、外部ストレージメディアに記録したＡＶファイル構成は同一であると判別して、新たにＡＶファイル構成リストを作成することなく前記記憶保持したＡＶファイル構成リストを用い、
前記データ使用容量と残容量の比較結果が異なる容量の時には、異なっているデータ使用容量の増加した差分を検出すると共に、前記外部ストレージメディアに記録されている前記特定名称付与ファイルのデータ容量を検出し、
前記特定名称付与ファイルのデータ容量と、前記差分の容量とを比較して、同じ容量の時には、外部ストレージメディアに記録したＡＶファイル構成は同一であると判別し、新たにＡＶファイル構成リストを作成することなく前記記憶保持したＡＶファイル構成リストを用いることを特徴とする外部ストレージメディア同一性判別方法。
【請求項２】
前記外部ストレージメディアに記録したＡＶファイルを再生した時、再生したＡＶファイルを記憶して保持し、
その後機器本体の電源を入れた時に、前記記憶保持した再生ＡＶファイルが挿入されている外部ストレージメディアに存在するか否かを検出し、存在する時には外部ストレージメディアに記録したＡＶファイル構成は同一であると判別し、新たにＡＶファイル構成リストを作成することなく前記記憶保持したＡＶファイル構成リストを用いることを特徴とする請求項１記載の外部ストレージメディア同一性判別方法。
【請求項３】
機器本体に挿抜可能な外部ストレージメディアが挿入されているか否かを検出する外部ストレージメディア挿抜検出手段と、
機器本体の電源を入れた後に、前記外部ストレージメディア挿抜検出で外部ストレージメディアが挿入されていることを検出した時、最初にＡＶファイルの構成リストを作成するＡＶファイル構成リスト作成手段と、
前記ＡＶファイル構成リスト作成手段で作成したＡＶファイル構成リストを記憶し、電源切断後も当該記憶を保持するＡＶファイル構成リスト記憶手段と、
機器本体で作成したＡＶファイル以外のデータを前記外部ストレージメディアに記録する時、当該データを記録したファイルに特定の名称を付与する特定名称付与手段と、
前記外部ストレージメディアのデータ使用容量と残容量を検出して記憶保持するデータ使用容量と残容量検出記憶手段と、
機器本体の電源を入れた後に前記外部ストレージメディア挿抜検出手段で外部ストレージメディアが挿入されていることを検出した時、挿入されている外部ストレージメディアのデータ使用容量と残容量を検出し、前記記憶保持したデータ使用容量とを比較して容量の変化を検出する外部ストレージメディアデータ使用容量と残容量変化検出手段と、
前記外部ストレージメディアデータ使用容量と残容量変化検出手段で変化がないことを検出した時には、ＡＶファイル構成は同一であると判別し、新たなＡＶファイル構成リストの作成は必要ないものと判別するＡＶファイル構成リスト作成要否判別手段と、
前記外部ストレージメディアデータ使用容量と残容量変化検出手段で検出したデータ使用容量が、前記データ使用容量と残容量検出記憶手段で記憶したデータ使用容量より増加していることを検出した時、増加した差分を検出する外部ストレージメディアデータ使用容量増加差分検出手段と、
前記外部ストレージメディアに記録されている前記特定名称付与ファイルのデータ容量を検出する特定名称付与ファイルデータ容量検出手段と、
前記外部ストレージメディアデータ使用容量増加差分検出手段で検出した増加差分のデータ容量と、前記特定名称付与ファイルデータ容量検出手段で検出したデータ容量とが同じ容量であるか否かを判別するＡＶファイル以外データ容量差分比較手段とを備え、
前記ＡＶファイル構成リスト作成要否判別手段では、前記ＡＶファイル以外データ容量差分比較手段でデータ容量が同じであると判別した時、ＡＶファイル構成は同一であると判別し、新たなＡＶファイル構成リストの作成は必要ないものと判別することを特徴とする外部ストレージメディア同一性判別装置。
【請求項４】
前記外部ストレージメディアに記録したＡＶファイルを再生した時、再生ＡＶファイルを記憶して保持する再生ＡＶファイル記憶手段と、
機器本体の電源を入れた時、前記再生ＡＶファイル記憶手段で記憶して保持した再生ＡＶファイルが、挿入されている外部ストレージメディアに存在するか否かを検出する前回再生ＡＶファイル存否検出手段とを備え、
前記前回再生ＡＶファイル存否検出手段で、前回再生したＡＶファイルが存在しないことを検出した時、前記ＡＶファイル構成リスト作成要否判別手段では、新たなＡＶファイル構成リストを作成する必要があると判別することを特徴とする請求項３記載の外部ストレージメディア同一性判別装置。
【請求項５】
前記特定名称付与手段で特定名称を付与するファイルは、ナビゲーション用のＰＯＩデータであることを特徴とする請求項３記載の外部ストレージメディア同一性判別装置。
【請求項６】
前記本体機器はナビゲーション機能付ヘッドユニットであることを特徴とする請求項３記載の外部ストレージメディア同一性判別装置。
【発明の詳細な説明】
【技術分野】
【０００１】
本発明は、例えばＵＳＢメモリのような外部ストレージメディアに、ＡＶ（Audio Visual）データ等を記録して、これを各種の機器で再生して用いる時、それぞれの機器でこの外部ストレージメディアを認識する際、記録されているＡＶファイルが先に再生していた外部ストレージメディアと異なると判定した時、新たにＡＶファイル構成リストを作成することにより生じる再生不能時間をできる限り少なくするようにした外部ストレージメディア同一性判別方法及びその方法を実施する装置に関する。
【背景技術】
【０００２】
近年はＡＶ（Audio Visual）データの圧縮技術の発展と、メモリチップの高密度化により、小さなメモリカードに数千曲以上のオーディオデータを各ファイルとして記録し、また大容量の音声付き映像データを大量にファイルとして記録し、これを例えばパソコン、車両用オーディオ機能を備えたヘッドユニット、携帯情報端末、更には携帯電話等に挿入して再生し、視聴することが普及している。
【０００３】
このようなＡＶファイルを大量に記録した外部ストレージメディアとしては、例えばメモリカード単体、或いはＵＳＢスロットに直接挿入可能なプラグを備え、内部にＵＳＢ接続機能とデータを記録するメモリチップを備えたＵＳＢメモリ等が用いられており、これを前記のような各種機器のスロットに差し込んで、記録しているＡＶデータを再生し、更には各機器の操作によって新たなＡＶデータからなるファイルを記録し、また不要なファイルの削除等も可能となっている。
【０００４】
前記のような各種機器において、ＡＶファイルを記録した外部ストレージメディアが挿入されたことを検出した時、或いは最初からそのような外部ストレージメディアが挿入されていた状態から機器の電源スイッチがＯＮして作動を開始した時、各機器では挿入されている外部ストレージメディアにどのようなファイルが存在するのかをチェックし、ファイルの構成リストを作成して、その後の利用者の再生指示等に迅速に対応できるようにしている。
【０００５】
その際、外部ストレージメディアには莫大なＡＶファイルが記録されていることがあり、したがって前記のように最初にＡＶファイル構成リストを作成する時、例えば数十秒から数分かかることがある。そのため、利用者が直ちに外部ストレージメディアに記録しているＡＶファイルを再生したいと思っても、その間は外部ストレージメディアにアクセスすることができず、再生することができない。
【０００６】
このような外部ストレージメディアのファイル構成リストの作成処理負担、及びその作成時間をできる限る少なくするため、機器本体において外部ストレージメディアを使用した後に機器の電源を切る時には、挿入していた外部ストレージメディアにデータを記録しているデータ使用容量、及びデータを記録することができる残容量としてのデータ使用容量／残容量を記憶保持しておき、更に機器の電源を入れてから切る迄に再生したＡＶファイルを記憶保持しておくことが提案されている。
【０００７】
それにより、その後電源を入れた時には例えば図６に示すような作動フローに従った処理を行って、ＡＶファイル構成リスト作成処理を行い、挿入されている外部ストレージメディアのデータが変更されていないと判断される場合には、記憶保持していたファイル構成リストをそのまま用いて使用することにより、新たなＡＶファイル構成リストを作成する必要がないようにしている。その際には更に、前回再生したＡＶファイルが今回も存在するかの確認も行うようにすることもある。
【０００８】
即ち、図６に示す従来提案されている技術においては、車両のヘッドユニットにＵＳＢメモリ等の外部ストレージメディアを挿入して、このＵＳＢメモリのＡＶデータを再生して使用する時の例を示しており、最初車両のキースイッチと共に操作されるＡＣＣＳＷ（アクセサリスイッチ）ＯＦＦからＯＮにした時の外部ストレージメディアＡＶデータのファイル構成リスト作成処理に際して、最初ＡＣＣＳＷはＯＮになった状態から開始し（ステップＳ３１）、その後外部ストレージメディアはスロットに挿入されているか否かを判別する（ステップＳ３２）。
【０００９】
ステップＳ３２において外部ストレージメディアが挿入されていると判別した時には、図示の従来例においては、挿入されている外部ストレージメディアには、前回ＡＣＣＳＷをＯＮにした時に再生したファイルは存在するか否かを判別する（ステップＳ３３）。ここで存在すると判別した時には、外部ストレージメディアのデータ使用容量／残容量は前回ＡＣＣＳＷをＯＦＦした時と同じか否かを判別する（ステップＳ３４）。
【００１０】
ここで同じであると判別した時には、外部ストレージメディアのＡＶファイルは変更がなかったものと見なし（ステップＳ３５）、それにより記憶保持していたＡＶデータ構成リストを読み込んでそのまま利用することとし、新たなＡＶファイル構成リストを作成する処理を省略することができるようにしている。
【００１１】
また、前記ステップＳ３２で外部ストレージメディアは挿入されていないと判別した時には、ステップＳ３７において、ＡＣＣＳＷはＯＦＦになったか否かを判別し、未だＯＦＦになっていないと判別した時には再びステップＳ３２に戻って外部ストレージメディアの挿入を待ち、挿入されないうちにステップＳ３３でＡＣＣＳＷがＯＦＦになったと判別した時には、ステップＳＳ３１に戻ってその後のＡＣＣＳＷのＯＮ操作を待つ。
【００１２】
また、ステップＳ３３で外部ストレージメディアには前回ＡＣＣＳＷをＯＮした時に再生したファイルが存在しないと判別した時、及びステップＳ３４で外部ストレージメディアのデータ使用容量／残容量は前回のＡＣＣＳＷをＯＦＦした時と同じではないと判別した時と共にステップＳ３８に進み、新たに外部ストレージメディアのＡＶファイル構成リストを作成するようにしている。
【００１３】
なお、機器に装填して使用する記録媒体の同一性を確実に判別するため、記録媒体が装填された際に、記録されているデータによって記録媒体判別情報を作成し記録しておき、、その後記録媒体を装填した時には、新たに作成した記録媒体判別情報と、記録していた先の記録媒体判別情報とが同じ時、今回装填された記録媒体は先の記録媒体と同じであると判別するようにした技術は、特許文献１に開示されている。
【先行技術文献】
【特許文献】
【００１４】
【特許文献１】特開２００５−１４９６７７号公報
【発明の概要】
【発明が解決しようとする課題】
【００１５】
前記図６に示すように、ＡＣＣＳＷをＯＮした後に外部ストレージメディアが挿入されていることを検出すると、前回に再生したＡＶファイルが存在すると判別し、且つデータ使用容量／残容量に前回と変化がないと判別した時には、前回作動時に記憶保持していたＡＶファイル構成リストをそのまま使用し、新たに長時間かかるＡＶファイル構成リストの作成を省略することができるようにしたものが提案されているが、それでも、前回のＡＶファイルには本来変更が無く、前回再生したＡＶファイルも存在する時でも、この外部ストレージメディアに別途のデータを記録した時には、データ使用容量／残容量が変化することにより、ＡＶファイル構成が変更したものとして、新たなＡＶファイル構成リストを作成することとなる。
【００１６】
このような場合としては、例えば図７に示すような場合が存在する。即ち図７に示す例においては、車両のヘッドユニット７１として、モニタ７２にナビゲーションの案内画面を表示し、目的地に案内を行うことができるようにした、ナビゲーション機能付ヘッドユニットの例を示しており、このヘッドユニットにおいては通常のものと同様にオーディオ再生機能を備え、スピーカ７４から車内に出力することができるようにした例を示している。
【００１７】
このヘッドユニット７１にはＵＳＢスロット７３を備え、このＵＳＢスロットに外部ストレージメディアとしてのＵＳＢメモリ７５を挿入することによって、ＵＳＢメモリに記録した圧縮ＡＶデータからなるＡＶファイルを再生し、車内のスピーカシステムで聴くことができるようにした例を示している。このようにＵＳＢメモリ７５を挿入している時、利用者がナビゲーションシステムで例えば目的地に設定した地点、利用者が興味のある施設等の各種施設等を、その後目的地設定する等のために、或いは施設の位置の確認等のために、直ちにこれを呼び出して地図等に表示するために、そのようなＰＯＩ（Point of Interest）をナビゲーションシステムのデータ記憶領域に記憶しておくことが行われる。
【００１８】
図７に示すモニタ７２には、表示された地図画面にＰＯＩ１〜ＰＯＩ３の３個のＰＯＩを設定していることを示している。利用者はこのようなＰＯＩデータをこのナビゲーション機能を備えた装置本体で使用する以外に、例えば同図に示すようにパソコン７６でも使用したいと思う場合がある。即ち、近年のパソコンにおいてはインターネットによって大規模な地図情報サイトに接続し、地図データを表示することができると共に、別途ＰＯＩデータが存在する時には利用者がそれを指示することによって、地図画面上にＰＯＩを表示することができるようになっている。
【００１９】
そのため、利用者は前記のように設定したＰＯＩをパソコンの大きな画面でゆっくり確認しようとする時、ナビゲーション機能付ヘッドユニット内のデータ記録部に記録したＰＯＩデータを、ＵＳＢメモリに書き出して、その後このＵＳＢメモリを抜き取ってパソコン７６の本体７８に設けたＵＳＢスロット７９に挿入して使用する。その使用に際しては、パソコンのインターネット機能によって前記のような地図情報サイトに接続し、ここでＵＳＢメモリに取り込んだＰＯＩデータを指定することによって、そのＰＯＩを地図上に表示することができ、それらのＰＯＩを前記モニタ７２と同様の画面で容易に確認することができるようになっている。
【００２０】
そのため利用者は、ナビゲーション機能付ヘッドユニット７１にＵＳＢメモリを挿入して、そこに記録しているＡＶファイルを再生するときでも、利用者が前記のようなＰＯＩデータをパソコンで確認したいと思った時、ＰＯＩデータを既にＡＶファイルを記録しているこのＵＳＢメモリに追加して記録することとなる。
【００２１】
このような場合、その後ＡＣＣＳＷをＯＦＦし、更にその後再びＡＣＣＳＷをＯＮした時には、ヘッドユニット７１は前記のようなＡＶファイル構成リストを作成するか否かの判別処理を行うとき、このＵＳＢメモリにはＰＯＩデータの分だけデータ使用容量が増え、それに対応して残容量が減少していることを検出する。そのためこのヘッドユニットにおいてはＡＶファイルには何らの変更がないにもかかわらず、ＡＶファイルに変更があったものと見なして、ＡＶファイル構成リストを新たに作成するための処理を行うこととなる。
【００２２】
上記のように、本来はＡＶファイルには何ら変更がなくても、単にＡＶファイル以外のデータを備えたファイルを追加して記録したのみでも、新たにＡＶファイル構成リストを作成することは無駄であり、何らかの対策が求められる。このことは前記のようなナビゲーション機能付ヘッドユニットでＡＶファイルを再生する時に、ＵＳＢメモリを使用し、そのＵＳＢメモリをパソコンで使用する時以外にも、他の各種機器でも同様の問題を生じることは明らかである。
【００２３】
したがって本発明は、ＡＶファイルを記録した外部ストレージメディアを再生して利用する時、機器の電源を入れた後に外部ストレージメディアを認識する際に、ＡＶファイル構成リストの作成時には、ＡＶファイルには何ら変更がない場合で、単に機器本体のＡＶデータ以外のデータを書き込んだ場合には、ＡＶファイルには変更がないものとして、前回記録保持したＡＶファイル構成リストを読み込んで利用することができるようにした、外部ストレージメディア同一性判別方法及びその方法を実施する装置を提供することを主たる目的とする。
【課題を解決するための手段】
【００２４】
本発明に係る外部ストレージメディア同一性判別方法は、前記課題を解決するため、機器本体に挿抜可能な外部ストレージメディアが挿入されていることを検出したとき、最初にＡＶファイルの構成リストを作成して記憶し、 機器本体で作成したＡＶファイル以外のデータを前記外部ストレージメディアに記録する時、当該データを含むファイルに特定の名称を付与し、機器本体の電源を切る時、前記外部ストレージメディアのＡＶファイル構成リストの記憶を保持すると共に、前記外部ストレージメディアのデータ使用容量と残容量を記憶して保持し、その後機器本体の電源を入れた後に外部ストレージメディアが挿入されていることを検出した時、挿入されている外部ストレージメディアのデータ使用容量と残容量を検出して、前記記憶保持したデータ使用容量と残容量とを比較し、全て同じ容量の時には、外部ストレージメディアに記録したＡＶファイル構成は同一であると判別して、新たにＡＶファイル構成リストを作成することなく前記記憶保持したＡＶファイル構成リストを用い、前記データ使用容量と残容量の比較結果が異なる容量の時には、異なっているデータ使用容量の増加した差分を検出すると共に、前記外部ストレージメディアに記録されている前記特定名称付与ファイルのデータ容量を検出し、前記特定名称付与ファイルのデータ容量と、前記差分の容量とを比較して、同じ容量の時には、外部ストレージメディアに記録したＡＶファイル構成は同一であると判別し、新たにＡＶファイル構成リストを作成することなく前記記憶保持したＡＶファイル構成リストを用いることを特徴とする。
【００２５】
また、本発明に係る他の外部ストレージメディア同一性判別方法は、前記外部ストレージメディア同一性判別方法において、前記外部ストレージメディアに記録したＡＶファイルを再生した時、再生したＡＶファイルを記憶して保持し、その後機器本体の電源を入れた時に、前記記憶保持した再生ＡＶファイルが挿入されている外部ストレージメディアに存在するか否かを検出し、存在する時には外部ストレージメディアに記録したＡＶファイル構成は同一であると判別し、新たにＡＶファイル構成リストを作成することなく前記記憶保持したＡＶファイル構成リストを用いることを特徴とする。
【００２６】
また、本発明に係る外部ストレージメディア同一性判別装置は、前記課題を解決するため、機器本体に挿抜可能な外部ストレージメディアが挿入されているか否かを検出する外部ストレージメディア挿抜検出手段と、機器本体の電源を入れた後に、前記外部ストレージメディア挿抜検出で外部ストレージメディアが挿入されていることを検出した時、最初にＡＶファイルの構成リストを作成するＡＶファイル構成リスト作成手段と、前記ＡＶファイル構成リスト作成手段で作成したＡＶファイル構成リストを記憶し、電源切断後も当該記憶を保持するＡＶファイル構成リスト記憶手段と、機器本体で作成したＡＶファイル以外のデータを前記外部ストレージメディアに記録する時、当該データを記録したファイルに特定の名称を付与する特定名称付与手段と、前記外部ストレージメディアのデータ使用容量と残容量を検出して記憶保持するデータ使用容量と残容量検出記憶手段と、機器本体の電源を入れた後に前記外部ストレージメディア挿抜検出手段で外部ストレージメディアが挿入されていることを検出した時、挿入されている外部ストレージメディアのデータ使用容量と残容量を検出し、前記記憶保持したデータ使用容量とを比較して容量の変化を検出する外部ストレージメディアデータ使用容量と残容量変化検出手段と、前記外部ストレージメディアデータ使用容量と残容量変化検出手段で変化がないことを検出した時には、ＡＶファイル構成は同一であると判別し、新たなＡＶファイル構成リストの作成は必要ないものと判別するＡＶファイル構成リスト作成要否判別手段と、前記外部ストレージメディアデータ使用容量と残容量変化検出手段で検出したデータ使用容量が、前記データ使用容量と残容量検出記憶手段で記憶したデータ使用容量より増加していることを検出した時、増加した差分を検出する外部ストレージメディアデータ使用容量増加差分検出手段と、前記外部ストレージメディアに記録されている前記特定名称付与ファイルのデータ容量を検出する特定名称付与ファイルデータ容量検出手段と、前記外部ストレージメディアデータ使用容量増加差分検出手段で検出した増加差分のデータ容量と、前記特定名称付与ファイルデータ容量検出手段で検出したデータ容量とが同じ容量であるか否かを判別するＡＶファイル以外データ容量差分比較手段とを備え、前記ＡＶファイル構成リスト作成要否判別手段では、前記ＡＶファイル以外データ容量差分比較手段でデータ容量が同じであると判別した時、ＡＶファイル構成は同一であると判別し、新たなＡＶファイル構成リストの作成は必要ないものと判別することを特徴とする。
【００２７】
また、本発明に係る他の外部ストレージメディア同一性判別装置は、前記外部ストレージメディア同一性判別装置において、前記前記外部ストレージメディアに記録したＡＶファイルを再生した時、再生ＡＶファイルを記憶して保持する再生ＡＶファイル記憶手段と、機器本体の電源を入れた時、前記再生ＡＶファイル記憶手段で記憶して保持した再生ＡＶファイルが、挿入されている外部ストレージメディアに存在するか否かを検出する前回再生ＡＶファイル存否検出手段とを備え、前記前回再生ＡＶファイル存否検出手段で、前回再生したＡＶファイルが存在しないことを検出した時、前記ＡＶファイル構成リスト作成要否判別手段では、新たなＡＶファイル構成リストを作成する必要があると判別することを特徴とする。
【００２８】
また、本発明に係る他の外部ストレージメディア同一性判別装置は、前記外部ストレージメディア同一性判別装置において、前記特定名称付与手段で特定名称を付与するファイルは、ナビゲーション用のＰＯＩデータであることを特徴とする。
【００２９】
また、本発明に係る他の外部ストレージメディア同一性判別装置は、前記外部ストレージメディア同一性判別装置において、前記本体機器はナビゲーション機能付ヘッドユニットであることを特徴とする。
【発明の効果】
【００３０】
本発明は上記のように構成したので、ＡＶファイルを記録した外部ストレージメディアを再生して利用する時、機器の電源を入れた後に外部ストレージメディアを認識する際に、ＡＶファイル構成リストの作成時には、ＡＶファイルには何ら変更がない場合で、単に機器本体のＡＶデータ以外のデータを書き込んだ場合は、ＡＶファイルには変更がないものとして、前回記録保持したＡＶファイル構成リストを読み込んで利用することができるようになり、無用な処理を長時間行うことによってＡＶ再生開始が遅延することを防止することができる。
【図面の簡単な説明】
【００３１】
【図１】本発明の実施例の機能ブロック図である。
【図２】本発明の実施例に於ける外部ストレージメディアへのデータ書込処理を行う作動フロー図である。
【図３】本発明の実施例のＡＣＣＳＷＯＦＦからＯＮ時以降の外部ストレージメディアＡＶデータのファイル構成リスト作成処理を行う作動フロー図である。
【図４】本発明の実施例の作動態様を示す図である。
【図５】本発明の実施例の他の作動態様を示す図である。
【図６】従来例の作動フロー図である。
【図７】本発明の機器構成例を示す図である。
【発明を実施するための形態】
【実施例】
【００３２】
本発明の実施例を図面に沿って説明する。図１は本発明を前記図７に示すようなナビゲーション機能付ヘッドユニット７１と同様の機器本体１に、ＵＳＢメモリ等の外部ストレージメディア２を挿入して使用する状態を示しており、機器本体１にはそのために外部ストレージメディア接続部３を備えている。ここに外部ストレージメディア２を挿入したか、また挿入していた外部ストレージメディアを抜き出したかは、外部ストレージメディア挿抜検出部１０で検出し、各機能部において外部ストレージメディアに関連した作動を行う時にその信号を用いる。
【００３３】
外部ストレージメディアデータ入出力部４においては、外部ストレージメディア２が外部ストレージメディア接続部３に挿入して接続している時、外部ストレージメディア２に記録している、例えば圧縮オーディオデータを取り込み、これをＡＶデータ再生部５で再生してスピーカから音声を出力し、映像データが存在する時にはモニタにこれを表示することができる。また、この外部ストレージメディアデータ入出力部４では、前記のようにナビゲーション装置で利用者が目的地設定や興味有る施設としてＰＯＩ設定を行った時には、機器本体のデータ記録部に記録したそのデータを外部ストレージメディア２に書き込んで後にパソコンでこれを利用したいと思った時には、利用者の指示によって、機器本体からＰＯＩデータを読み込み、外部ストレージメディア２に書き込むことができるようにしている。
【００３４】
再生ＡＶファイル記憶部６においては、前記のようにＡＶデータ再生部５でＡＶデータを再生した時、そのデータが記録されているＡＶファイル名等を記録しておく。このデータはその後ＡＶファイル構成リスト作成要否判別処理部２３で使用する。ＡＶファイル構成リスト作成部８では、機器本体１のＡＣＣＳＷ１２等の電源を入れている時に外部ストレージメディア３を挿入した時、或いは外部ストレージメディア２を挿入している状態で機器本体１の電源を入れた時には、後述するようにＡＶファイル構成リスト作成要否判別部２３でＡＶファイル構成リストを作成する必要がある旨の判別が行われた時、ＡＶファイル構成リストを作成する。
【００３５】
ＡＶファイル構成リスト記憶部９においては、ＡＶファイル構成リスト作成部８でＡＶファイル構成リストを作成した時、これを記憶し、機器本体１の電源を切った時でもこれを保持して、その後再び機器本体１のＡＣＣＳＷ１２等の電源を入れた時、ＡＶファイル構成リスト作成要否判別処理部２３でＡＶファイル構成リストを作成する必要がないとされた時には、この記憶保持したＡＶファイル構成リストをそのまま使用可能とする。
【００３６】
外部ストレージメディアデータ使用容量／残容量検出記憶部１１においては、機器本体１に挿入されている外部ストレージメディア２のデータ使用容量、及びデータを記録するために使用していない残容量を検出し、これを記憶する。特に機器本体１の電源を切った時にこの記憶を保持し、その後機器本体１の電源を入れた時、ＡＶファイル構成リスト作成要否判別処理部２３で読み込んで利用可能とする。
【００３７】
ＡＣＣＳＷ操作検出部１３では、機器本体１の電源スイッチとして、車両のキースイッチと一体的に作動するアクセサリスイッチ（ＡＣＣＳＷ）１２の、利用者による操作を検出する。それにより、ＡＣＣＳＷがＯＮになったかＯＦＦになったかを検出し、ＡＶファイル構成リスト作成要否判別処理部２３等でその信号を利用可能とする。
【００３８】
ＡＶファイル構成リスト作成要否判別処理部２３では、前記ＡＶファイル構成リスト作成部８でＡＶファイル構成リストを作成する必要があるか否かを判別ための処理を行うものであり、後述するような処理によって最終的にＡＶファイル構成リスト作成要否判別部２７で判別を行い、その結果をＡＶファイル構成リスト作成部８に対して指示出力を行うようにしている。
【００３９】
図１に示す機器本体１はナビゲーション機能付ヘッドユニットの例を示しており、そのナビゲーション機能を行う部分として、ナビゲーション機能部１５を備えている。このナビゲーション機能部１５には、特に図示していないが、地図表示、現在位置検出、目的地設定、誘導経路演算、誘導経路案内、施設情報提供等の、従来から広く用いられている通常のナビゲーション機能をを行う各種機能部を備えている。
【００４０】
特に本発明に関連する機能部として、ナビゲーション用地図・情報記憶部１４に記録しているデータを読み込むための地図データ読込部１６を備え、その地図データにより表示した地図画面等によって利用者が設定する目的地、或いは特に興味のある施設等のＰＯＩ（Point of Interest）を設定するＰＯＩ設定部１７を備えている。この時のＰＯＩ設定部１７で設定することにより得られたＰＯＩデータは、このナビゲーション機能付ヘッドユニットの機器本体１で得られたデータであるので、この機器本体１における製品データということができる。
【００４１】
このようにして得られたＰＯＩの設定によるＰＯＩデータは、ＰＯＩデータ記憶部１８に、製品データとして記憶される。外部ストレージメディア書込用製品データ取込部１９では、利用者が前記のような製品データとしてのＰＯＩデータを、例えば家のパソコンの地図画面で確認したい、或いは利用したいと思った時に、このデータを現在挿入されているＵＳＢメモリ等の外部ストレージメディア２に書き込んで、パソコンに挿入して使用したいと思った際には、利用者の指示により外部ストレージメディア書込用製品データ取込部１９において、ＰＯＩデータ記憶部１８から取り込む。
【００４２】
書込製品データ記録ファイル特定名称付与部２０においては、利用者が前記のようにナビゲーション機能部１５で得たＰＯＩデータをパソコン等で利用したいと思って、ＰＯＩデータ記憶部１８から取り込んだ時、そのデータを含むファイルに対して例えばこの機器の製造メーカーの名称等の特定名称を付与する。このようにして特定名称を付与したファイルは、特定名称付与ファイル出力部２１を介して外部ストレージメディアデータ入出力部４から、外部ストレージメディア２に書き込む。その際には、書込位置指定部２２において、特定の位置に書き込むように指定し、このファイルの存在を容易に識別することができるようにしても良い。
【００４３】
上記処理により図１に示す例においては、外部ストレージメディア２のファイル構成として示すように、通常のＡＶファイルとして「お気に入り」のファイルが作成されて、そのファイル内に各ＡＶデータが「１−１トラック１」「１−２トラック２」「１−３トラック３」・・・のように記録されているとき、前記のようにして製品メーカー等の特定の名称を付与した特定名称付与ファイルは、別のファイルとして「ＡＡＡ書出ファイル」のように記録され、そのファイル内に「ナビＰＯＩ」のようなデータ名称で記録されることとなる。
【００４４】
本発明は前記のように、ＡＶファイルが記録されている外部ストレージメディア２に対して、ＰＯＩデータ等のこの機器本体で作成された製品データを記録する時には、その記録データを含むファイルに特定名称を付与して記録しておくことを前提として機能する。
【００４５】
ＡＶファイル構成リスト作成要否判別処理部２３における前回再生ＡＶファイル存否検出部２８では、機器本体１の電源が入ったことをＡＣＣＳＷ操作検出部１３で検出した後に外部ストレージメディア挿抜検出部１０で外部ストレージメディア２を挿入したことを検出した時、或いはＡＣＣＳＷ操作検出部１３でＡＣＣＳＷをＯＮしたことを検出した時に、外部ストレージメディア挿抜検出部１０で外部ストレージメディア２が挿入されていることを検出した時には、前回再生ＡＶファイル検出部７で再生ＡＶファイル記憶部６に記憶保持していた前回の再生ＡＶファイルを読み込み、外部ストレージメディアデータ入出力部を介して外部ストレージメディア２にアクセスし、そのＡＶファイルの中に前回の再生ＡＶファイルが存在するか否かを検出する。
【００４６】
その検出結果はＡＶファイル構成リスト作成要否判別部２７に出力し、ＡＶファイル構成リスト作成要否判別部２７では、前回再生したＡＶファイルが現在挿入している外部ストレージメディア２に存在しない信号を入力した時には、ＡＶファイル構成リスト作成部８に対して、新たなＡＶファイル構成リストの作成を指示することとなる。
【００４７】
外部ストレージメディアデータ使用容量／残容量変化検出部２９では、外部ストレージメディアデータ入出力部４を介して外部ストレージメディア２にアクセスし、現在挿入されている外部ストレージメディア２のデータ使用容量／残容量を読み込むと共に、外部ストレージメディアデータ使用容量／残容量検出記憶部１１に記憶している前回ＡＣＣＳＷがＯＦＦされるときの外部ストレージメディア２のデータ使用容量／残容量と比較し、各容量が変化したか否か、またどれだけ増加したかを検出する。
【００４８】
その検出結果は外部ストレージメディアデータ使用容量増加差分検出部３０と、ＡＶファイル構成リスト作成要否判別部２７に出力し、特にＡＶファイル構成リスト作成要否判別部２７では、前回再生ＡＶファイル存否検出部２８で前回再生したＡＶファイルが存在することを検出し、更に外部ストレージメディアデータ使用容量／残容量変化検出部２９で各データ容量が変化していないことを検出した時、ＡＶファイル構成リスト作成部８に対して、今回は新たにＡＶファイルリストを作成する処理を行う必要が無く、ＡＶファイル構成リスト記憶部９に記憶しているＡＶファイル構成リストを読み込んで使用することができるようにする。
【００４９】
外部ストレージメディアデータ使用容量増加差分検出部３０では、外部ストレージメディアデータ使用容量／残容量変化検出部２９の検出データに基づいて、特に今回の外部ストレージメディアのデータ使用容量が、前回のデータ使用容量より多くなったことを検出した際には、その増加差分を検出して、後述する特定名称付与ファイル以外データ容量差分比較部２６に出力する。
【００５０】
特定名称付与ファイル検出部２４では、前記のように書込製品データ記録ファイル特定名称付与部２０において付与したファイルが、現在挿入されている外部ストレージメディア２に記録されているか否かを検出する。特定名称付与ファイルデータ容量検出部２５では、特定名称付与ファイル検出部２４で前記のような特定名称付与ファイルを検出した時、そのファイルのデータ容量を検出する。その検出結果はＡＶファイル以外データ容量差分比較部２６に出力し、特定名称付与ファイル以外データ容量差分比較部２６では、前記外部ストレージメディアデータ使用容量増加差分検出部３０の差分データと、特定名称付与ファイルデータ容量検出部２５のデータを比較する。
【００５１】
ＡＶファイル構成リスト作成要否判別部２７では、ＡＶファイル以外データ容量差分比較部２６で比較した結果、両者が同じ容量であると判別した時には、今回挿入されている外部ストレージメディア２に記録されているデータは、ＡＶファイルについては変化が無く、機器本体で作成したデータが追加されたのみであるとして、今回はＡＶファイル構成リストを作成する必要がなく、前回作成して記憶保持しているＡＶファイル構成リスト記憶部９のデータを用いるようにする旨の信号を、ＡＶファイル構成リスト作成部８に出力する。
【００５２】
本発明は前記のように、ＡＶファイルが記録されている外部ストレージメディア２に対して、ＰＯＩデータ等のこの機器本体で作成された製品データを記録する時には、その記録データを含むファイルに特定名称を付与して記録しておき、その後ＡＶファイルが記録されている外部ストレージメディアのデータの中に、本体機器が作成した特定名称ファイルが存在することを検出した時には、そのファイルの部分を除いてデータ使用容量／残容量を調べ、特定名称付与ファイル以外には変化がない場合には新たにＡＶファイル構成リストの作成処理を行う必要がないようにしたものである。
【００５３】
図１に示すような機能ブロックからなる本発明は、例えば図２に示すような作動フローによって外部ストレージメディアへのデータ書込処理を行い、また、図３に示すような作動フローによってＡＣＣＳＷＯＦＦからＯＮ時の外部ストレージメディアにおけるＡＶファイル構成リスト作成処理を行うことによって実施することができる。
【００５４】
図２に示す外部ストレージメディアへのデータ書込処理の例においては、最初外部ストレージメディアのＡＶファイルリストを作成することから開始する（ステップＳ１）。この処理は、図１の機器本体１に外部ストレージメディア２を挿入した状態でＡＣＣＳＷをＯＮした時、或いはＡＣＣＳＷがＯＮの状態で外部ストレージメディア２を挿入した時、その外部ストレージメディア２がこの機器本体に最初に挿入された時には必ずＡＶファイル構成リストが作成される。
【００５５】
なお、この外部ストレージメディア２の挿入の認識が２回目以降のものである時には、その外部ストレージメディアのデータに全く変化がない時には、先に作成していたＡＶファイル構成リストをそのまま用いることができるので、このような時には新たにＡＶファイル構成リストを作成する必要はない。
【００５６】
その後外部ストレージメディアのＡＶファイルを再生したか否かを判別する（ステップＳ２）。ここで外部ストレージメディアのＡＶファイルを再生したと判別した時には、再生したＡＶファイルを記憶する（ステップＳ３）。この処理は図１の再生ＡＶファイル記憶部６に記憶することにより行っている。
【００５７】
次いで、製品データを外部ストレージメディアに書き込むか否かを判別する（ステップＳ４）。ここで例えば前記のようなＰＯＩデータを外部ストレージメディアに書き込もうとした場合にはステップＳ５に進み、書き込むデータのファイルに特定名称を付与して書き込みを行う。
【００５８】
その後、前記ステップＳ２で外部ストレージメディアのＡＶファイルを再生していないと判別した時、及びステップＳ４で製品データを外部ストレージメディアに書き込まないと判別した時と共にステップＳ６に進み、ＡＣＣＳＷをＯＮからＯＦＦにしたか否かを判別し、未だＯＦＦしていないと判別した時には再びステップＳ２に戻り、前記作動を繰り返す。
【００５９】
ステップＳ６においてＡＣＣＳＷがＯＮからＯＦＦになったと判別した時には、外部ストレージメディアのデータ使用容量／残容量を読み込んで記憶保持する（ステップＳ７）。この作動は図１の外部ストレージメディアデータ使用容量／残容量検出記憶部１１で行っている。その後、今回のＡＣＣＳＷのＯＮ期間中に再生した外部ストレージメディアのＡＶファイルを記憶保持する（ステップＳ８）。
【００６０】
上記のような作動によって外部ストレージメディアへの書込処理を行った後は、図３に示すようなＡＣＣＳＷＯＦＦからＯＮ時以降の外部ストレージメディアにおけるＡＶファイル構成リスト作成処理を行う。その際には最初、ＡＣＣＳＷはＯＮになったか否かを判別し（ステップＳ１１）、ＡＣＣＳＷがＯＮになった時には直ちに外部ストレージメディアは挿入されているか否かを判別する（ステップＳ１２）。
【００６１】
ステップＳ１２において外部ストレージメディアは未だ挿入されていないと判別した時にはステップＳ２１に進み、ＡＣＣＳＷはＯＦＦになったか否かを判別して、未だＯＦＦになっていないと判別した時にはステップＳ１１に戻り、外部ストレージメディアの挿入を待ち、ステップＳ２１でＡＣＣＳＷがＯＦＦになった時にはステップＳ１１に戻って次のＡＣＣＳＷのＯＮ操作を待つ。
【００６２】
ステップＳ１２で外部ストレージメディアは挿入されていると判別した時には、外部ストレージメディアには、前回ＡＣＣＳＷＯＮ時に再生したファイルは存在するか否かを判別する（ステップＳ１３）。この作動は図１のＡＶファイル構成リスト作成要否判別処理部２３における、前回再生ＡＶファイル存否検出部２８で行っている。
【００６３】
ステップＳ１２において、外部ストレージメディアには前回ＡＣＣＳＷＯＮ時に再生したファイルが存在しないと判別した時には、ステップＳ２２に進んで、新たなＡＶファイル構成リストを作成する。この処理は前記図６の従来提案されている例の作動と同様である。
【００６４】
ステップＳ１３において外部ストレージメディアには前回ＡＣＣＳＷＯＮ時に再生したファイルが存在すると判別した時には、外部ストレージメディアのデータ使用容量／残容量は、前回ＡＣＣＳＷをＯＦＦした時と同じか否かを判別する（ステップＳ１４）。ここで、外部ストレージメディアのデータ使用容量／残容量は前回ＡＣＣＳＷＯＦＦ時と同じであると判別した時には、直ちにステップＳ２０に進んで、記憶保持していたＡＶファイル構成リストを読み込む。この作動も前記図６の従来提案されている例と同様の作動を行う。
【００６５】
ステップＳ１４において外部ストレージメディアのデータ使用容量／残容量は前回ＡＣＣＳＷＯＦＦした時と同じではないと判別した時には、前回のＡＣＣＳＷＯＦＦ時以降に特定名称を付与したファイルは存在するか否かを判別する（ステップＳ１５）。ここで存在しないと判別した時には、増加したファイルはこの本体機器としての製品で作成されたファイルではないと判断し、ＡＶファイル構成に変更がある可能性もあるとして、ステップＳ２２に進み、新たにＡＶファイル構成リストを作成する。この作動も前記図６の従来提案されている例と同様である。
【００６６】
ステップＳ１５において前回のＡＣＣＳＷＯＦＦ時以降に特定名称を付与したファイルが存在すると判別した時には、存在する特定名称付与ファイルのデータ容量を検出する（ステップＳ１６）。この作動は図１の特定名称付与ファイルデータ容量検出部２５で行っている。次いで図３の例においては外部ストレージメディアの前回の使用容量との増加した差分を検出する（ステップＳ１７）。
【００６７】
その後存在する特定名称付与ファイルの容量は検出した差分と同じか否かを判別する（ステップＳ１８）。ここで同じであると判別した時には、今回挿入されている外部ストレージメディアは、前回使用していた外部ストレージメディアとデータ使用容量が増加しているものの、その増加分はこの製品で作成して保存したデータ分のみであるとして、ＡＶファイルには変化が無かったものと見なし（ステップＳ１９）、記憶保持していたＡＶファイル構成リストを読み込んで使用する（ステップＳ２０）。また、ステップＳ１８で、存在する特定名称付与ファイルの容量は検出した差分と同じではないと判別した時には、ＡＶファイル構成に何らの変化があるものと見なして、ステップＳ２２に進んで、新たなＡＶファイル構成リストを作成する。
【００６８】
前記のような作動を行うことにより図４に示すように、最初は図中「書き出し前」として示すような「お気に入り」のファイル内に「１−１トラック１」「１−２トラック２」「１−３トラック３」のようなＡＶデータが記録され、全体として４Ｇの容量がある外ストレージメディアの内の、前記ＡＶファイルが１Ｇ使用しており、それにより３Ｇが残容量となっている例を示している。
【００６９】
この外部ストレージメディアに前記のようにナビゲーション機能のためにＰＯＩデータを作成し、これを外部ストレージメディアに記録するとき、前記のように例えばこの製品を製造している会社名等の、この製品特有の名称を付与して記録する。図示の例では「書き出し後」として示すように、「ＡＡＡ］という特定名称を付与するものとし、ここでは「ＡＡＡ書出ファイル」としてＡＶファイルを記録し、「お気に入り」のファイルとは別のファイルを作成して記録している。この「ＡＡＡ書出ファイル」に「ナビＰＯＩ」として示すＰＯＩデータが記録されることとなる。
【００７０】
その結果、外部ストレージメディアは全体として４Ｇの容量の内、ＡＶファイルについては変化が無く１Ｇの使用容量であり、そのほかに１．３Ｇの「ＡＡＡ書出ファイル」が書き込まれ、それにより全使用容量は２．３Ｇとなり、残容量は１．７Ｇとなったことを示している。
【００７１】
このような書き出し後の外部ストレージメディアについて、従来はデータ使用容量／残容量が変化しているので、新たにＡＶファイル構成リストを作成していたのに対して、本発明においては、図３のステップＳ１６において、存在する特定名称付与ファイルのデータ容量は１．３Ｇであることを検出し、ステップＳ１７で外部ストレージメディアの前回の使用容量との増加差分は１．３Ｇであることを検出し、ステップＳ１８で存在する特定名称付与ファイルの容量は検出した差分と同じであると判別し、それによりステップＳ２０で、記憶保持していたＡＶファイル構成リストを読み込んで使用することができ、従来提案されているもののような新たな外部ストレージメディアのＡＶファイル構成リスト作成処理を行う必要が無くなる。
【００７２】
本発明においては前記のような作動にを行う結果、図５に示すように、製品特有の特定名称を付与したファイル以外のファイルが存在した時には、ＡＶファイル構成に変化が生じた可能性がある門として、前記従来提案されている例と同様に新たなＡＶファイル構成リストの作成処理を行うこととなる。即ち図５の例においては、前記図４と同様にＰＯＩナビデータ等が記録されている「ＡＡＡ書出ファイル」等の特定名称付与ファイルが１．３Ｇ書き込まれ、更に例えばパソコン等で「追加各種ファイルとして示している、０．３Ｇのファイルが追加された時には、図３のステップＳ１６において、存在する特定名称付与ファイルの容量は１．３Ｇであるのに対して、ステップＳ１７で検出した外部ストレージメディアの前回の使用容量との増加差分は１．６Ｇであり、同じではないので、このような場合はステップＳ２２において新たなＡＶファイル構成リストを作成する。
【００７３】
本発明は上記のような作動を行うことにより、従来提案されている技術では外部挿入メディアにＰＯＩデータを書き込むのみで、その後にこの外部挿入メディアを使用する時にＡＶファイル構成に変化があるものとして、新たなＡＶファイル構成リストを作成することにより、ＡＶ再生が遅れる問題を解決することができる。
【符号の説明】
【００７４】
１  機器本体
２  外部ストレージメディア
３  外部ストレージメディア接続部
４  外部ストレージメディアデータ入出力部
５  ＡＶデータ再生部
６  再生ＡＶファイル記憶部
７  前回再生ＡＶファイル検出部
８  ＡＶファイル構成リスト作成部
９  ＡＶファイル構成リスト記憶部
１０  外部ストレージメディア挿抜検出部
１１  外部ストレージメディアデータ使用容量／残容量検出記憶部
１２  ＡＣＣＳＷ
１３  ＡＣＣＳＷ操作検出部
１４  ナビゲーション用地図・情報記憶部
１５  ナビゲーション機能部
１６  地図データ読込部
１７  ＰＯＩ設定部
１８  ＰＯＩデータ記憶部
１９  外部ストレージメディア書込用製品データ取込部
２０  書込製品データ記録ファイル特定名称付与部
２１  特定名称付与ファイル出力部
２２  書出位置指定部
２３  ＡＶファイル構成リスト作成要否判別処理部
２４  特定名称付与ファイル検出部
２５  特定名称付与ファイルデータ容量検出部
２６  ＡＶファイル以外データ容量差分比較部
２７  ＡＶファイル構成リスト作成要否判別部
２８  前回再生ＡＶファイル存否検出部
２９  外部ストレージメディアデータ使用容量／残容量変化検出部
３０  外部ストレージメディアデータ使用容量増加差分検出部
【図１】
2012080472.tif 000003
【図２】
2012080472.tif 000004
【図３】
2012080472.tif 000005
【図４】
2012080472.tif 000006
【図５】
2012080472.tif 000007
【図６】
2012080472.tif 000008
【図７】
2012080472.tif 000009